(57)【要約】【課題】従来の調理道具玩具よりも興趣性に富み、既存の調理道具に興趣性をもたせ得る調理道具玩具を提供する。また、従来の調理道具よりも興趣性に富んだ調理道具を提供する。【解決手段】調理動作を模した所定の動作を検出する振動スイッチ１１と、振動スイッチ１１がＯＮ状態となったときに予め定められた音声を出力させる制御部１２と、音声を出力する発音部１３を備えて、予め定められた閾値を超える加速度を検出した場合には、発音部１３から調理道具玩具に対応する本物の調理道具を使用する際に連想するお喋りデータを出力する。例えば、調味料容器から調味料を振り掛ける動作をすることによって振動スイッチ１１がＯＮ状態となり、「美味しくなーれ！」といったようなお喋りデータを出力する。上述の振動スイッチ１１、制御部１２、発音部１３、電源１４を実際の調理道具に収容する。【選択図】図１
2007082621.tif 000002
【特許請求の範囲】
【請求項１】
調理動作を模した所定の動作を検出してＯＮ状態となるスイッチと、
前記スイッチがＯＮ状態となったときに予め定められた動作を行う動作部と
を備えることを特徴とする調理道具玩具。
【請求項２】
請求項１記載の調理道具玩具であって、
前記動作部は、発音動作することを特徴とする調理道具玩具。
【請求項３】
請求項１記載の調理道具玩具であって、
前記動作部は、言語発声することを特徴とする調理道具玩具。
【請求項４】
請求項１記載の調理道具玩具であって、
前記スイッチは、予め定められた閾値を超える加速度を検出することによってＯＮ状態となることを特徴とする調理道具玩具。
【請求項５】
請求項１記載の調理道具玩具であって、
前記スイッチは、
永久磁石と、
前記永久磁石の通過を磁気変化量に基づいて検出してＯＮ状態となるセンサと
を備えることを特徴とする調理道具玩具。
【請求項６】
請求項１乃至請求項５の何れかに記載の調理道具玩具であって、
調理道具の形状を模した一の調理道具玩具本体内に前記スイッチ及び前記動作部が収容されたことを特徴とする調理道具玩具。
【請求項７】
請求項５記載の調理道具玩具であって、
組み合わせて使用される調理道具を模した２種類の調理道具玩具本体内に、
前記動作部及び前記センサと、
前記永久磁石と
が分離して収容されたことを特徴とする調理道具玩具。
【請求項８】
請求項１乃至請求項５の何れかに記載の調理道具玩具であって、
前記スイッチ及び前記動作部を収容した収容部と、
前記収容部に取り付けられて本物の調理道具に着脱可能な着脱部と
を備えていることを特徴とする調理道具玩具。
【請求項９】
調理動作に相当する所定の動作を検出してＯＮ状態となるスイッチと、
前記スイッチがＯＮ状態となったときに予め定められた動作を行う動作部と
を備えることを特徴とする調理道具。
【請求項１０】
請求項９記載の調理道具であって、
前記動作部は、発音動作することを特徴とする調理道具。
【請求項１１】
請求項９記載の調理道具であって、
前記動作部は、言語発声することを特徴とする調理道具。
【請求項１２】
請求項９記載の調理道具であって、
前記スイッチは、予め定められた閾値を超える加速度を検出することによってＯＮ状態となることを特徴とする調理道具。
【請求項１３】
請求項９記載の調理道具であって、
前記スイッチは、
永久磁石と、
前記永久磁石の通過を磁気変化量に基づいて検出してＯＮ状態となるセンサと
を備えることを特徴とする調理道具。
【請求項１４】
請求項９乃至請求項１３の何れかに記載の調理道具であって、
一の調理道具に前記スイッチ及び前記動作部が収容されたことを特徴とする調理道具。
【請求項１５】
請求項１３記載の調理道具であって、
組み合わせて使用される２種類の調理道具に、
前記動作部及び前記センサと、
前記永久磁石と
が分離して収容されたことを特徴とする調理道具。
【発明の詳細な説明】
【技術分野】
【０００１】
本発明は、使用者が調理動作を楽しむための調理道具玩具及び調理道具に関するものである。
【背景技術】
【０００２】
従来の炊事玩具に於いて、調理道具玩具は形だけの物真似に過ぎず、遊びの中で遊戯者は該調理道具玩具を用いて、母親等の動作の真似事を行うのみである。遊戯者は、最初は遊戯者自身も意味を理解せずに反復していた真似事を通し、徐々にその動作の意味を理解していく。
【発明の開示】
【発明が解決しようとする課題】
【０００３】
近年では、エレクトロニクス技術の発達に伴って、コンロ玩具やナイフ玩具に音声発出手段を設けて、当該玩具を使用する動作によって音声が発出する技術も提案されているが、まだまだ興趣性に乏しく、容易に飽きられてしまうという問題がある。
【０００４】
また、遊戯者の行動の手本となるべき母親の中にはキッチンに立つことを億劫に思っている人がいることや、遊戯者自身がキッチンや食卓に就くことを嫌うという例が昨今増加傾向にある。
【０００５】
本発明は、上記課題に鑑みてなされたものであり、従来の調理道具玩具よりも興趣性に富み、既存の調理道具に興趣性をもたせ得る調理道具玩具を提供する。また、従来の調理道具よりも興趣性に富んだ調理道具を提供する。
【課題を解決するための手段】
【０００６】
上記課題を解決すべく、請求項１記載の調理道具玩具は、調理動作を模した所定の動作を検出してＯＮ状態となるスイッチと、前記スイッチがＯＮ状態となったときに予め定められた動作を行う動作部とを備えるものである。
【０００７】
請求項２記載の調理道具玩具は、請求項１記載の調理道具玩具であって、前記動作部は、発音動作するものである。
【０００８】
請求項３記載の調理道具玩具は、請求項１記載の調理道具玩具であって、前記動作部は、言語発声するものである。
【０００９】
請求項４記載の調理道具玩具は、請求項１記載の調理道具玩具であって、前記スイッチは、予め定められた閾値を超える加速度を検出することによってＯＮ状態となるものである。
【００１０】
請求項５記載の調理道具玩具は、請求項１記載の調理道具玩具であって、前記スイッチは、永久磁石と、前記永久磁石の通過を磁気変化量に基づいて検出してＯＮ状態となるセンサとを備えるものである。
【００１１】
請求項６記載の調理道具玩具は、請求項１乃至請求項５の何れかに記載の調理道具玩具であって、調理道具の形状を模した一の調理道具玩具本体内に前記スイッチ及び前記動作部が収容されたものである。
【００１２】
請求項７記載の調理道具玩具は、請求項５記載の調理道具玩具であって、組み合わせて使用される調理道具を模した２種類の調理道具本体内に、前記動作部及び前記センサと、前記永久磁石とが分離して収容されたものである。
【００１３】
請求項８記載の調理道具玩具は、請求項１乃至請求項５の何れかに記載の調理道具玩具であって、前記スイッチ及び前記動作部を収容した収容部と、前記収容部に取り付けられて本物の調理道具に着脱可能な着脱部とを備えているものである。
【００１４】
請求項９記載の調理道具は、調理動作に相当する所定の動作を検出してＯＮ状態となるスイッチと、前記スイッチがＯＮ状態となったときに予め定められた動作を行う動作部とを備えるものである。
【００１５】
請求項１０記載の調理道具は、請求項９記載の調理道具であって、前記動作部は、発音動作するものである。
【００１６】
請求項１１記載の調理道具は、請求項９記載の調理道具であって、前記動作部は、言語発声するものである。
【００１７】
請求項１２記載の調理道具は、請求項９記載の調理道具であって、前記スイッチは、予め定められた閾値を超える加速度を検出することによってＯＮ状態となるものである。
【００１８】
請求項１３記載の調理道具は、請求項９記載の調理道具であって、前記スイッチは、永久磁石と、前記永久磁石の通過を磁気変化量に基づいて検出してＯＮ状態となるセンサとを備えるものである。
【００１９】
請求項１４記載の調理道具は、請求項９乃至請求項１３の何れかに記載の調理道具であって、一の調理道具に前記スイッチ及び前記動作部が収容されたものである。
【００２０】
請求項１５記載の調理道具は、請求項１３記載の調理道具であって、組み合わせて使用される２種類の調理道具に、前記動作部及び前記センサと、前記永久磁石とが分離して収容されたものである。
【発明の効果】
【００２１】
請求項１記載の発明に依れば、調理動作を模した所定の動作が行われ、例えば、請求項２記載のように音声が出力されるので、遊戯者は、従来の調理道具玩具よりも興趣性に富んだ炊事遊びをすることが可能となる。
【００２２】
請求項３記載の発明に依れば、調理動作を模した所定の動作を行うことによって言語を出力することが可能なので、会話体の言語を出力させることにより、遊戯者の調理道具玩具に対する親しみの情を育んで、物を大切に扱うようにすることが可能となり得る。
【００２３】
請求項４及び請求項５記載の発明に依れば、予め定められた閾値を超える加速度を検出することによってスイッチがＯＮ状態となるので、調理動作を模した所定の動作を確実に検出することが可能となる。
【００２４】
請求項６記載の発明に依れば、調理道具の形状を模した一の調理道具玩具本体内にスイッチ及び動作部を収容しているので、遊戯者が調理道具玩具を実際の調理道具に見立てて調理動作を楽しむことが可能となる。
【００２５】
請求項７記載の発明に依れば、組み合わせて使用される調理道具を模した２種類の調理道具玩具本体内に動作部及びセンサと、永久磁石とが分離して収容されているので、遊戯者が２種類の調理道具玩具本体を実際の２種類の調理道具に見立てて調理動作を楽しむことが可能となる。
【００２６】
請求項８記載の発明に依れば、スイッチ及び動作部を収容部に収容して、その収容部に着脱部を備えているので、その着脱部により収容部を本物の調理道具に取り付けることによって実際の調理動作に興趣性を持たせることが可能となる。
【００２７】
請求項９記載の発明に依れば、調理動作に相当する所定の動作が行われ、例えば、請求項１０記載のように音声が出力されるので、興趣性に富んだ調理道具を提供することが可能となる。
【００２８】
請求項１１記載の発明に依れば、調理動作に相当する所定の動作を行うことによって言語を出力することが可能なので、会話体の言語を出力させることにより、使用者の調理道具に対する親しみの情を育んで、物を大切に扱うようにすることが可能となり得る。
【００２９】
請求項１２及び請求項１３記載の発明に依れば、予め定められた閾値を超える加速度を検出することによってスイッチがＯＮ状態となるので、調理動作に相当する所定の動作を確実に検出することが可能となる。
【００３０】
請求項１４記載の発明に依れば、一の調理道具本体内にスイッチ及び動作部を収容しているので、使用者が調理動作を楽しむことが可能となる。
【００３１】
請求項１５記載の発明に依れば、組み合わせて使用される２種類の調理道具本体内に動作部及びセンサと、永久磁石とが分離して収容されているので、使用者が２種類の調理道具を組み合わせて行う調理動作を楽しむことが可能となる。
【発明を実施するための最良の形態】
【００３２】
｛第１実施形態｝
〈構成〉
図１は、本発明の第１実施形態に係る調理道具玩具を示す図であり、図２は、その回路構成図である。図１に示す如く、調理道具玩具１０は、例えば、胡椒入れ等の調味料容器を模した形状で調理道具玩具本体１を形成し、その本体１の内部に振動スイッチ１１と、制御部１２と、発音部（動作部）１３と、電源１４を備えて構成されている。
【００３３】
振動スイッチ１１は、予め定められた閾値を超える加速度が加えられたときにＯＮ状態となるセンサスイッチであり、例えば、図３に示す如く、絶縁体で形成された略筒形容器３１の内部に収容された錘球３２と、錘球３２の下部に設けられた押しバネ３３と、略筒形容器３１の底面に設置された２つの電極３４Ａ、３４Ｂとを備えて構成されており、押しバネ３３の伸縮方向が調理動作を模した所定の動作方向（例えば、調味料容器から調味料を振り掛ける動作方向）と一致するように調理道具玩具本体１内に設置されている。
【００３４】
遊戯者が調理動作を模した所定の動作を行うことによって、略筒形容器３１内部の錘球３２が押しバネ３３を縮める。
【００３５】
このとき、遊戯者が予め定められた閾値を超える加速度を加えると、押しバネ３３の反発エネルギよりも錘球３２の運動エネルギが上回って、電極３４Ａと電極３４Ｂが接触し（ＯＮ状態となり）、錘球３２の運動エネルギよりも押しバネ３３の反発エネルギが上回るとＯＦＦ状態となるものである。
【００３６】
または、振動スイッチ１１は、例えば、図４に示す如く、錘球３２と電極３４Ａ、３４Ｂの代わりに各々永久磁石４２と磁気センサ４４を備えて構成されており、遊戯者が調理動作を模した動作を行うことによって、略筒形容器３１内部の永久磁石４２が押しバネ３３を縮める。
【００３７】
このとき、遊戯者が予め定められた閾値を超える加速度を加えると、押しバネ３３の反発エネルギよりも永久磁石４２の運動エネルギを上回って、永久磁石４２が磁気センサ４４に接近して磁気センサ４４がＯＮ状態となり、永久磁石４２の運動エネルギよりも押しバネ３３の反発エネルギが上回ると磁気センサ４４がＯＦＦ状態になるものである。尚、磁気センサ４４は、略筒形容器３１と別体に設けられていても良い。
【００３８】
制御部１２は、例えば、図１に示す如く、タイマ１２Ａと、記憶手段１２Ｂと、処理手段１２Ｃとを備えて構成されている。
【００３９】
タイマ１２Ａは、振動スイッチ１１と後述する処理手段１２Ｃとの間に設置されて、ＰＬＬ（Ｐｈａｓｅ  Ｌｏｃｋｅｄ  Ｌｏｏｐ）回路等を用いて振動スイッチ１１がＯＮ状態となってから予め定められた時間だけ計時を行うと共に、振動スイッチ１１がＯＮ状態となった時から所定時間だけ記憶手段１２Ｂ、処理手段１２Ｃ及び発音部１３に給電するものである。
【００４０】
記憶手段１２Ｂは、例えば、フラッシュＲＯＭやＨＤＤ等の不揮発性メモリが適用されて、後述する発音部１３が発出する音声データをディジタルデータ化して格納する外、処理手段１２Ｃが実行するソフトウェアプログラムを格納するものである。
【００４１】
尚、記憶手段１２Ｂに格納される音声データは、具体的には、例えば、「美味しくなーれ！」、「このお塩でもっと美味しくなーれ！」、「このお砂糖でもっと甘くなーれ！」と言ったような調理道具玩具１０に対応する本物の調理道具（例えば、本物の調味料容器）と関連するお喋りデータである。
【００４２】
または、記憶手段１２Ｂに格納される音声データは、メロディや調理動作をしている際に生じる効果音等である。
【００４３】
処理手段１２Ｃは、ＲＡＭ等が接続された一般的なコンピュータのＣＰＵ（マイクロプロセッサ）が適用されて、記憶手段１２Ｂに格納されたソフトウェアプログラムに従ってタイマ１２Ａが制御する時間だけ動作する機能部品である。
【００４４】
具体的には、処理手段１２Ｃは、振動スイッチ１１がＯＮ状態となってタイマ１２Ａが計時をしている間に、記憶手段１２Ｂに格納された音声データを読み出し、その音声データに基づいて電気信号を生成して後述する発音部１３に伝送する。
【００４５】
発音部１３は、処理手段１２Ｃから伝送された電気信号に基づいて発振器を発振させ、スピーカ１３Ａを通じて音声を出力するものである。
【００４６】
電源１４は、市販の乾電池等が適用される。
【００４７】
〈動作〉
上記構成の調理道具玩具１０の動作を次に説明する。
【００４８】
遊戯者は、例えば、図１に示す如く、調味料容器の形状を模した調理道具玩具１０を手に持ち、恰も調味料容器の中身を振り掛ける様にして振ることによって調理道具玩具１０に加速度を加える。
【００４９】
ここで、図３または図４に示す如く、予め定められた閾値を超える加速度が加えられると、振動スイッチ１１はＯＮ状態となってタイマ１２Ａが作動し、制御部１２に給電が開始される。
【００５０】
振動スイッチ１１がＯＮの状態になると、電流は一旦、コンデンサ２１Ｃに蓄電される。その後、振動スイッチ１１が再びＯＦＦになり、タイマ１２Ａ、記憶手段１２Ｂ、処理手段１２Ｃ及び発音部１３に給電が開始され、タイマ１２Ａが計時を開始すると共に、処理手段１２Ｃは記憶手段１２Ｂに格納された音声データを読み出し、発音部１３に伝送する。
【００５１】
発音部１３は、伝送された音声データに基づいて発振器を発振させてスピーカ１３Ａを通じて音声を出力する。具体的に、出力される音声データは、例えば、「美味しくなーれ！」、「このお塩でもっと美味しくなーれ！」、「このお砂糖でもっと甘くなーれ！」といったような調理道具玩具１０に対応する本物の調理道具（例えば、本物の調味料容器）と関連するお喋りデータである。
【００５２】
このように、音声データが出力され、所定の時間が経過すると、タイマ１２Ａ、記憶手段１２Ｂ、処理手段１２Ｃ及び発音部１３への給電は停止される。
【００５３】
上記のような実施の形態によって、以下のようなことが可能となる。
【００５４】
調理動作を模した所定の動作を行うことによって発音部１３から音声が出力されるので、遊戯者は、従来の調理道具玩具よりも興趣性に富んだ炊事遊びをすることが可能となる。
【００５５】
また、調理動作を模した所定の動作を行うことによって発音部１３から言語を出力することが可能なので、会話体の言語を出力させることにより、遊戯者の調理道具玩具１０に対する親しみの情を育んで、物を大切に扱うようにすることが可能となり得る。
【００５６】
また、予め定められた閾値を超える加速度を検出することによって振動スイッチ１１がＯＮ状態となるので、調理動作を模した所定の動作を確実に検出することが可能となる。
【００５７】
〈第１実施形態の変形例〉
尚、調理道具玩具１０は、必ずしも調味料容器を模した形状である必要はなく、例えば、図５（ａ）〜（ｃ）に示す如く、模擬フライ返し５０ａ、模擬杓子５０ｂ、模擬フライパン５０ｃ等であっても良い。
【００５８】
模擬フライ返し５０ａの場合には、遊戯者が模擬フライ返し５０ａを矢印の方向にひっくり返すことによって、振動スイッチ１１がＯＮ状態となり、発音部１３から音声が出力される。
【００５９】
このとき出力される音声データとしては、例えば、「こんがり焼けたかな？」といったような本物のフライ返しを使用するときに連想するお喋りデータ等である。
【００６０】
このような音声が出力されることによって、遊戯者は自身が行った動作が食べ物を焼くときに必要な動作であることを容易に理解することが可能となる。
【００６１】
模擬杓子５０ｂの場合には、遊戯者が模擬杓子５０ｂを矢印の方向に混ぜる動作をすることによって、振動スイッチ１１がＯＮ状態となり、発音部１３から音声が出力される。このとき出力される音声データとしては、例えば、「綺麗に盛り付けてね！」といったような本物の杓子を使用するときに連想するお喋りデータ等である。
【００６２】
このような音声が出力されることによって、遊戯者は自身が行った動作が調理した食べ物を盛り付ける動作であることを容易に理解することが可能となる。
【００６３】
模擬フライパン５０ｃの場合には、遊戯者が模擬フライパン５０ｃを矢印の方向に揺らすことによって、振動スイッチ１１がＯＮ状態となり、発音部１３から音声が出力される。このとき出力される音声データとしては、例えば、「焦げないようによく揺すってね！」といったような本物のフライパンを使用するときに連想するお喋りデータ等である。
【００６４】
このような音声が出力されることによって、遊戯者は自身が行った動作がフライパンに載っている食べ物を焦がさないようにするための動作であることを容易に理解することが可能となる。
【００６５】
以上は、振動スイッチ１１、制御部１２、発音部１３、電源１４が１種類の調理道具玩具本体１内に収容された場合について説明したが、２種類の調理道具玩具本体に分離して収容されるようにしても良い。
【００６６】
例えば、図６に示す如く、模擬杓子６１の本体１内に振動スイッチ１１の一部である磁気センサ４４と制御部１２、発音部１３、電源１４を備え、模擬フライパン６２の本体１内に振動スイッチ１１の残部である永久磁石４２を備えることによって、模擬杓子６１の先端を模擬フライパン６２の底部に沿って恰も調理動作を行っているかのように、移動させることによって発音部１３から音声が出力されるようにしても良い。このとき出力される音声データとしては、例えば、「よーく炒めてね！」といったような本物の杓子とフライパンを合わせて使用するときに連想するお喋りデータ等である。尚、模擬杓子６１の本体１内に永久磁石４２を備え、模擬フライパン６２の本体１内に磁気センサ４４と制御部１２、発音部１３、電源１４を備えても構わないのは勿論である。
【００６７】
これらの各模擬調理道具５０ａ〜５０ｃ、６１（または６２）が音声データを出力することによって、従来の調理道具玩具よりも興趣性が増し、遊戯者の物に対する親しみの情を育んで、物を大切に扱うようにすることが可能となり得る。
【００６８】
尚、調理道具玩具本体１の形態は、上述の調理道具を模した形状の外、模擬鍋、模擬香辛料容器、模擬スプーン、模擬フォーク等であっても構わないのは勿論である。
【００６９】
｛第２実施形態｝
図７は、本発明の第２実施形態に係る調理道具玩具を示す図である。尚、図７に於いて第１実施形態と同様の機能を有する要素については同一符号を付し、その説明を省略する。
【００７０】
図７に示す如く、この実施の形態の調理道具玩具７０は、例えば、既述の第１実施形態を構成する振動スイッチ１１、制御部１２、発音部１３、電源１４を収容した収容部７１と、収容部７１に取り付けられ面ファスナ（着脱部）７２を有するベルト７３を備えて構成されている。
【００７１】
そして、図８に示す如く、例えば、本物のフライ返し８０の把手部分にベルト７３を巻き付け、面ファスナ７２で固定することが可能となっている。これにより、フライ返し８０を実際の調理で用いることによっても第１実施形態と同様の動作を行うことが可能となっている。
【００７２】
また、例えば、図９に示す如く、調理道具玩具９０が、本物の調味料容器９３の底部に着脱可能となるよう、略円筒形の収容部９１の内周面側に、例えば、ゴム等の滑り止め（着脱部）９２を有し、収容部９１の内部に振動スイッチ１１、制御部１２、発音部１３、電源１４を設けることによって、第２実施形態と同様の動作を行うことが可能となる。
【００７３】
尚、この実施の形態の調理道具玩具７０または９０に於いては、制御部１２内に設けられた記憶手段１２Ｂに複数の相異なる音声データを格納し、切換スイッチ（図示省略）によって取り付けられる本物の調理道具に応じて出力される音声データを変えるようにしても良い。
【００７４】
以上のように、本物の調理道具に着脱可能な面ファスナ７２または滑り止め９２等の着脱部を備えているので、調理道具玩具７０、９０を実際の調理道具に取り付けることによって、実際の調理動作に興趣性をもたせることが可能となる。
【００７５】
｛第３実施形態｝
また、上述のような玩具に限らず、例えば、図１０に示す如く、実際の調味料容器のような調理道具１００の本体１０１に振動スイッチ１１、制御部１２、発音部１３、電源１４を本物の調理道具に収容しても良い。
【００７６】
この場合、例えば、調味料収容部１０２に収容された調味料を振り掛ける動作をすることによって、本体１０１に収容された振動スイッチ１１が調理動作に相当する所定の動作（調味料を振り掛ける動作）を検出して、例えば、音声が出力されるので、興趣性に富んだ調理道具を提供することが可能となる。
【００７７】
更に、会話体の言語を出力させることにより、調理道具に対する親しみの情を育んで、物を大切に扱うようにすることが可能となり得る。
【００７８】
更に、予め定められた閾値を超える加速度を検出することによって振動スイッチ１１がＯＮ状態となるので、調理動作に相当する所定の動作を確実に検出することが可能となる。
【００７９】
更に、一の調理道具の本体１０１内に振動スイッチ１１及び発音部１３を収容しているので、使用者が調理動作を楽しむことが可能となる。
【００８０】
更に、組み合わせて使用される２種類の調理道具（図示省略）本体内に動作部及びセンサと、永久磁石とが分離して収容することにより、使用者が２種類の調理道具を組み合わせて行う調理動作を楽しむことが可能となる。
【図面の簡単な説明】
【００８１】
【図１】本発明の第１実施形態に係る調理道具玩具を示す図である。
【図２】本発明の第１実施形態に係る調理道具玩具の回路構成図である。
【図３】本発明の第１実施形態に係る振動スイッチを示す図である。
【図４】本発明の第１実施形態に係る振動スイッチの変形例を示す図である。
【図５】（ａ）〜（ｃ）本発明の第１実施形態に係る調理道具玩具の変形例を示す図である。
【図６】本発明の第１実施形態に係る調理道具玩具の変形例を示す図である。
【図７】本発明の第２実施形態に係る調理道具玩具を示す図である。
【図８】本発明の第２実施形態に係る調理道具玩具が取り付けられた調理道具を示す図である。
【図９】本発明の第２実施形態に係る調理道具玩具の変形例を示す図である。
【図１０】本発明の第３実施形態に係る調理道具の一例を示す図である。
【符号の説明】
【００８２】
１  本体
１０  調理道具玩具
１１  振動スイッチ
１２  制御部
１２Ａ  タイマ
１２Ｂ  記憶手段
１２Ｃ  処理部
１３  発音部
１３Ａ  スピーカ
１４  電源
３１  略筒形容器
３２  錘球
３３  押しバネ
３４  電極
４２  永久磁石
４４  磁気センサ
７２  面ファスナ
７３  ベルト
９２  滑り止め
１００  調理道具
１０１  本体
【図１】
2007082621.tif 000003
【図２】
2007082621.tif 000004
【図３】
2007082621.tif 000005
【図４】
2007082621.tif 000006
【図５】
2007082621.tif 000007
【図６】
2007082621.tif 000008
【図７】
2007082621.tif 000009
【図８】
2007082621.tif 000010
【図９】
2007082621.tif 000011
【図１０】
2007082621.tif 000012